(57)【要約】  【課題】折り曲げることが可能であり、折り曲げによる断熱性能の劣化を抑えた真空断熱材を提供する。  【解決手段】真空断熱材１は、複数の芯材４をラミネートフィルム５で包み、個々の芯材４が独立空間になるように真空密封したものであり、ラミネートフィルム５の芯材４の空間と連結していない位置に真空断熱材１を横断する方向へミシン目状に切り込み６を設けたものである。これにより、曲げ強度がラミネートフィルム５の他の部分よりも相対的に弱くなり、折り目での折り曲げが可能となる。よって、芯材４の際で折り曲がらず、芯材４が配置された空間と連結していない個所で折り曲がるので、ラミネートフィルム５の折り目に割れやピンホールが発生しても芯材４が配置された空間を減圧状態に保つことができる。これにより、断熱性能の劣化を抑えることができる。【選択図】図２
2006342922.tif 000002
【特許請求の範囲】
【請求項１】
ラミネートフィルムで複数の芯材を覆い、同一平面上の少なくとも２つ以上の独立空間に前記芯材を真空密封した真空断熱材において、ラミネートフィルムの前記芯材を前記独立空間に分断している個所のうち、芯材配置空間との境目を除く部分に、曲げ強度が前記独立空間に分断している個所よりも相対的に弱い折り目を設けた真空断熱材。
【請求項２】
折り目が直線状に設けられている請求項１に記載の真空断熱材。
【請求項３】
折り目がラミネートフィルムに少なくとも２つ以上の切り込みを設けることにより形成された請求項１または２に記載の真空断熱材。
【請求項４】
折り目が真空断熱材の端部まで設けられており、少なくとも折り目の両端部に切り込みを設けることにより形成された請求項１から３のいずれか一項に記載の真空断熱材。
【請求項５】
請求項１から４のいずれか一項に記載の真空断熱材を内側の底面に配設した履物であって、前記真空断熱材の折り目が前記履物の幅方向になっている履物。
【発明の詳細な説明】
【技術分野】
【０００１】
本発明は、柔軟性を付加した真空断熱材と、その真空断熱材を適用した履物に関するものである。
【背景技術】
【０００２】
従来、複数の芯材より構成することにより柔軟性を付加した真空断熱材がある（例えば、特許文献１参照）。
【０００３】
図１２は、従来の真空断熱材の断面図である。図１２において、真空断熱材１は、同一平面上に配した複数個の断熱性空間保持材２と、断熱性空間保持材２を包含する可撓性容器３とからなり、断熱性空間保持材２が真空密封されている。この構成により、断熱性保持材２の各小片の接面が筋目となり、曲げ応力に対して、ここを中心として容易に曲げることができる
ここで、真空断熱材とは、容器で断熱性空間保持材を覆い真空密封したものであり、断熱性空間保持材内部を真空状態にすることにより、気体による熱伝導率を下げ、低熱伝導率を実現したものである。
【特許文献１】特開昭６１−１７３９３１号公報
【発明の開示】
【発明が解決しようとする課題】
【０００４】
しかしながら、上記従来の構成では、可撓性容器３は断熱性保持材２の各小片の接面で曲げることが可能になるが、可撓性容器３に大きな負荷がかかり、割れやピンホールが発生し易くなる。割れやピンホールが発生する個所は、断熱性保持材２が配置された空間と連結した個所なので、可撓性容器３が真空状態を保てなくなり、断熱性能が劣化する問題があった。
【０００５】
本発明は、折り曲げることが可能であり、折り曲げによって断熱性能の低下を引き起こさない真空断熱材を提供することを目的とする。
【課題を解決するための手段】
【０００６】
上記目的を達成するために、本発明の真空断熱材は、可撓性容器内に複数の断熱性保持材を独立空間に真空密封し、可撓性容器の独立空間に別けている個所に折り目を設けたものである。
【０００７】
これによって、断熱性保持材の接面で曲がり難くなり、断熱性保持材が配置された空間と連結していない個所で折り曲がるようになる。
【発明の効果】
【０００８】
本発明の真空断熱材は、折り曲げることが可能であり、折り曲げによって真空状態が劣化することがなく、断熱性能の低下を引き起こさない真空断熱材を提供することができる。
【発明を実施するための最良の形態】
【０００９】
請求項１に記載の真空断熱材の発明は、ラミネートフィルムで複数の芯材を覆い、同一平面上の少なくとも２つ以上の独立空間に前記芯材を真空密封した真空断熱材において、ラミネートフィルムの前記芯材を前記独立空間に分断している個所のうち、芯材配置空間との境目を除く部分に、曲げ強度が前記独立空間に分断している個所よりも相対的に弱い折り目を設けたものである。
【００１０】
これにより、真空断熱材を折り曲げたときに芯材の際で折り曲がらず、予め設けておいた折り目で折り曲がるようになる。そのため、折り曲げによってラミネートフィルムの折り曲げ個所に穴があいても芯材が配置された空間と連結していない個所であるので、芯材が配置された空間を減圧状態に保つことができる。これにより、断熱性能の劣化を抑えることができ、屈曲性が要求される用途でも適用することができる。
【００１１】
請求項２に記載の真空断熱材の発明は、請求項１に記載の発明における折り目が、直線状に設けられているものである。
【００１２】
本発明においては、折り目が直線状に設けられているので、折り目を形成した個所で真空断熱材が折り曲がり易くなる。よって、芯材の際で折り曲がらず、芯材が配置された空間と連結していない個所で折り曲がるので、ラミネートフィルムの折り目に割れやピンホールが発生しても芯材が配置された空間を減圧状態に保つことができる。これにより、断熱性能の劣化を抑えることができ、屈曲性が要求される用途でも適用することができる。
【００１３】
請求項３に記載の真空断熱材の発明は、請求項１または２に記載の発明における折り目が、ラミネートフィルムに少なくとも２つ以上の切り込みを設けることにより形成されたものである。
【００１４】
本発明においては、切り込みを設けることにより、曲げ強度がラミネートフィルムの芯材を独立空間に分断している個所よりも相対的に弱くなり、折り目を形成できる。よって、芯材の際で折り曲がらず、芯材が配置された空間と連結していない個所で折り曲がるので、ラミネートフィルムの折り目に割れやピンホールが発生しても芯材が配置された空間を減圧状態に保つことができる。これにより、断熱性能の劣化を抑えることができ、屈曲性が要求される用途でも適用することができる。
【００１５】
また、芯材間隔が狭い場合でも切断により切り込みを設けるだけなので、容易に折り目を形成することができる。
【００１６】
また、ラミネートフィルムに切り込みがあるので通気性が良くなる。これにより湿気を逃がすことができ、湿気が問題になる用途に適用することができる。
【００１７】
請求項４に記載の真空断熱材の発明は、請求項１から３のいずれか一項に記載の発明における折り目が、真空断熱材の端部まで設けられており、少なくとも折り目の両端部に切り込みを設けることにより形成されたものである。
【００１８】
本発明においては、真空断熱材の両端部分にまで折り目が形成され、両端部が切り込みで形成されていることにより、真空断熱材の端まで折り目で折り曲げ易くなる。よって、芯材の際で折り曲がらず、芯材が配置された空間と連結していない個所で折り曲がるので、ラミネートフィルムの折り目に割れやピンホールが発生しても芯材が配置された空間を減圧状態に保つことができる。これにより、断熱性能の劣化を抑えることができ、屈曲性が要求される用途でも適用することができる。
【００１９】
また、芯材間隔が狭い場合でも切断により切り込みを設けるだけなので、容易に折り曲げ部を形成することができる。
【００２０】
また、ラミネートフィルムに切り込みがあるので真空断熱材の断熱方向への通気性が良くなる。これにより湿気を逃がすことができ、湿気が問題になる用途に適用することができる。
【００２１】
請求項５に記載の履物の発明は、請求項１から４のいずれか一項に記載の真空断熱材を内側の底面に配設した履物であって、前記真空断熱材の折り目が前記履物の幅方向になっているものである。
【００２２】
本発明においては、歩くときに曲がる部分である幅方向に折り目が形成されるので、違和感なく歩行できる。また、真空断熱材は高い断熱性があり、体熱の保温や冷気の遮断が効果的に行われ、冬季スポーツや寒冷地における使用においても足部を快適に保つことができる。
【００２３】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００２４】
（実施の形態１）
図１は本発明の実施の形態１における真空断熱材の斜視図、図２は同実施の形態における真空断熱材の平面図、図３は同実施の形態における真空断熱材の縦断面図である。
【００２５】
図１、図２、図３において、真空断熱材１は、複数の芯材４をラミネートフィルム５で包み、ラミネートフィルム５の内部を減圧して、個々の芯材４がそれぞれ互いに独立した空間内に位置する芯材４の際までラミネートフィルム５を溶着して真空密封したものであり、ラミネートフィルム５の芯材４を独立空間に分断している個所のうち、芯材４配置空間と連結していない位置にミシン目状に切り込み６を設けたものである。切り込み６を設けることで、ミシン目状の切り込み６個所の曲げ強度がラミネートフィルム５の他の部分よりも相対的に弱くなる。
【００２６】
なお、切り込み６は直線状に設けられるのが望ましい。また、ミシン目状とあるが、１つ１つの切り込み６の長さはバラバラでもよい。
【００２７】
本実施の形態の構成では、ラミネートフィルム５を芯材４の際まで溶着してあるが、芯材４同士の独立空間を維持できていれば際まで溶着する必要はない。また、芯材４とラミネートフィルム５とが溶着されていてもよい。なお、本実施の形態では１つの独立空間に１つの芯材４が配置されているが、１つの独立空間に複数の芯材４が配置されていてもよい。
【００２８】
一般に真空断熱材１は、内部の真空度を１Ｐａ〜１００Ｐａとすることで、優れた断熱性能を発現することが可能となる。ラミネートフィルム５は複数のフィルムが積層されたものであり、外側には保護層、中間はガスバリア層としてアルミ箔等を用い、内側は熱溶着層としている。芯材４はシリカ粉末を主成分とするものや、グラスウールを主成分とする繊維系芯材である。
【００２９】
以上のような構成により、本実施の形態１における真空断熱材１は、芯材４の真空状態が維持できる個所に切り込み６を設けるので、曲げ強度がラミネートフィルム５の芯材４を独立空間に分断している個所よりも相対的に弱くなり、折り目が形成される。これにより、真空断熱材１を折り曲げたときに芯材４の際で折り曲がらず、予め設けておいた折り目で曲がるようになる。また、真空断熱材１の断熱方向に加重があっても、折り目で曲がるようになる。
【００３０】
よって、芯材４の際で折り曲がらず、芯材４が配置された空間と連結していない折り目で折り曲がるので、ラミネートフィルム５の折り目に割れやピンホールが発生しても芯材４が配置された空間と連結していない個所なので、芯材４が配置された空間を減圧状態に保つことができる。これにより、断熱性能の劣化を抑えることができるので、屈曲性が要求される用途でも適用することができる。
【００３１】
また、芯材４間隔が狭い場合でも切断により切り込み６を設けるだけなので、容易に折り目を形成することができる。
【００３２】
この実施の形態では、折り目はラミネートフィルム５に切り込み６を入れることにより形成しているが、加圧によりラミネートフィルム５を圧縮させて折り目を形成してもよい。
【００３３】
また、ラミネートフィルム５に切り込み６があるので、真空断熱材１の断熱方向への通気性が良くなる。これにより湿気を逃がすことができ、湿気が問題になる用途に適用することができる。
【００３４】
なお、この真空断熱材１を他の部材で包んで使用する場合、その部材の真空断熱材１の折り目と重なる個所に折り目を設けることが望ましい。
【００３５】
（実施の形態２）
図４は本発明の実施の形態２における真空断熱材の平面図である。
【００３６】
図４に示すように、本実施の形態の真空断熱材１は、ミシン目状に設けられた切り込み６を一列だけとし、ミシン目状に設けられた切り込み６の両端にラミネートフィルム５を切り取って切り欠け７を設けたことを特徴とし、それ以外は、実施の形態１の真空断熱材１と同じ構成である。
【００３７】
以上のような構成により、真空断熱材１の端部に切り欠け７があり、その切り欠け７の先からミシン目状の切り込み６があるので、真空断熱材１の端部において芯材４の際で折り曲がり難くなり、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００３８】
また、ラミネートフィルム５に切り込み６があるので真空断熱材１の断熱方向への通気性が良くなる。これにより湿気を逃がすことができ、湿気が問題になる用途に適用することができる。
【００３９】
（実施の形態３）
図５は本発明の実施の形態３における真空断熱材の平面図である。
【００４０】
図５に示すように、本実施の形態の真空断熱材１は、ミシン目状に設けられた切り込み６が真空断熱材１の端部まで繋がっていないことを特徴とし、それ以外は、実施の形態１の真空断熱材１と同じ構成である。
【００４１】
以上のような構成でも、２つ以上の切り込み６が直線状に設けられているので、真空断熱材１の端部まで直線的に折り曲げることができる。よって、真空断熱材１を折り曲げたときに芯材４の際で折り曲がり難くなり、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。また、切り込み６が真空断熱材１の端部まで繋がっていないので、端部から真空断熱材１が引き裂かれることを抑えることができる。
【００４２】
また、ラミネートフィルム５に切り込み６があるので真空断熱材１の断熱方向への通気性が良くなる。これにより湿気を逃がすことができ、湿気が問題になる用途に適用することができる。
【００４３】
（実施の形態４）
図６は本発明の実施の形態４における真空断熱材の平面図である。
【００４４】
図６に示すように、本実施の形態の真空断熱材１は、ミシン目状の切り込み６がミシン目の列方向に長い長方形の貫通孔８によって形成され、ミシン目状の貫通孔８が、互いに平行な一組の列だけであることを特徴とし、それ以外は、実施の形態１の真空断熱材１と同じ構成である。
【００４５】
以上のような構成により、ミシン目状に貫通孔８をあけた個所の曲げ強度がラミネートフィルム５の芯材４を独立空間に分断している個所よりも相対的に弱くなり、折り目が形成できる。よって、芯材４の際で折り曲がらず、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００４６】
また、真空断熱材１に貫通孔８があいているので、切り込み６の場合よりも真空断熱材１の断熱方向への通気性が向上する。これにより湿気を逃がすことができ、湿気が問題になる用途に適用することができる。
【００４７】
（実施の形態５）
図７は本発明の実施の形態５における真空断熱材の平面図である。
【００４８】
図７に示すように、本実施の形態の真空断熱材１は、実施の形態４におけるミシン目状の貫通孔８の形状をミシン目の列方向に長い楕円型や菱形に変えたものである。
【００４９】
以上のように貫通孔８を設けることにより、ミシン目状に貫通孔８をあけた個所の曲げ強度がラミネートフィルム５の芯材４を独立空間に分断している個所よりも相対的に弱くなり、折り目が形成される。特に貫通孔８の鋭角部分を向けた方向に折り目が形成され易くなる。これにより、真空断熱材１を折り曲げたときに芯材４の際で折り曲がらず、予め設けておいた折り目で曲がるようになる。よって、芯材４の際で折り曲がらず、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００５０】
また、真空断熱材１に貫通孔８があいているので、切り込み６の場合よりも真空断熱材１の断熱方向への通気性が向上する。これにより湿気を逃がすことができ、湿気が問題になる用途に適用することができる。
【００５１】
また、真空断熱材１を引き裂く方向に力がかかった場合、貫通孔８が円や楕円形状だと直線の切り込みの場合よりも力が分散されるので、引き裂かれ難くなる。特に、真空断熱材１の端部において顕著である。よって、使用用途に応じて、折り目の形成方法を選ぶとよい。
【００５２】
（実施の形態６）
図８は本発明の実施の形態６における真空断熱材の平面図である。
【００５３】
図８に示すように、本実施の形態の真空断熱材１は、ミシン目状に切り込み６と貫通孔８を混ぜて折り目を設けたことを特徴とし、それ以外は、実施の形態１の真空断熱材１と同じ構成である。なお、貫通孔８を設ける位置は、真空断熱材１の縦横に設けた折り目と折り目が交わる位置にしている。
【００５４】
以上のような構成により、ミシン目状に切り込み６と貫通孔８をあけた個所の曲げ強度がラミネートフィルム５の芯材４を独立空間に分断している個所よりも相対的に弱くなり、折り目が形成できる。よって、芯材４の際で折り曲がらず、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００５５】
また、真空断熱材１に貫通孔８があいているので、切り込み６の場合よりも真空断熱材１の断熱方向への通気性が向上する。これにより湿気を逃がすことができ、湿気が問題になる用途に適用することができる。
【００５６】
また、貫通孔８のみの場合より芯材４と穴を設けた個所との距離を取ることができるので、芯材４空間へのガスの侵入を低減することができる。よって、長期においての断熱性能の劣化を抑えることができる。
【００５７】
（実施の形態７）
図９は本発明の実施の形態７における真空断熱材の平面図である。
【００５８】
図９に示すように、本実施の形態の真空断熱材１は、ミシン目状に設けた切り込み６が２列だけで、しかも、芯材４と芯材４との間を等分しないように設けられていることを特徴とし、それ以外は、実施の形態１の真空断熱材１と同じ構成である。
【００５９】
以上のような構成でも、真空断熱材１を折り曲げたときに芯材４の際で折り曲がらず、予め設けておいた折り目で曲がるようになる。よって、芯材４の際で折り曲がらず、芯材４が配置された空間と連結していない折り目で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００６０】
（実施の形態８）
図１０は本発明の実施の形態８における履物の側面図である。図１１は本発明の実施の形態８における中敷き形状の真空断熱材の平面図である。
【００６１】
図１０、図１１に示すように、本実施の形態の履物９は、中敷き形状の真空断熱材１を内側の底面に配設した履物９である。真空断熱材１は、実施の形態１から７のいずれかに記載のものであり、かつ折り目が履物９の幅方向になるように履物９の底に設けたものである。真空断熱材１はカバー部材１０で覆われている。ここで、履物９の幅方向とは、つま先と踵とを結ぶ方向以外の向きであり、図１１の切り込み６による折り目が形成された方向である。
【００６２】
ここで、カバー部材１０において真空断熱材１の折り目と重なる部分に、曲げ強度がカバー部材の他の部分よりも相対的に弱い部分を設けることが望ましい。
【００６３】
以上のような構成により、折り目が歩くときに曲がる部分である指の付け根部分に形成されることになるので、違和感なく歩行できる。歩行しても芯材４の際で折り曲がらず、芯材４が配置された空間と連結していない個所で折り曲がるので、ラミネートフィルム５の折り目に割れやピンホールが発生しても芯材４が配置された空間を減圧状態に保つことができる。これにより、断熱性能の劣化を抑えることができ、屈曲性が要求される用途でも適用することができる。
【００６４】
また、カバー部材１０において真空断熱材１の折り目と重なる部分に、曲げ強度がカバー部材１０の他の部分よりも相対的に弱い部分を設けることにより、真空断熱材１が折り目で曲がり易くなる。
【００６５】
また、真空断熱材１は高い断熱性があり、体熱の保温や冷気の遮断が効果的に行われ、冬季スポーツや寒冷地における使用においても足部を快適に保つことができる。
【００６６】
なお、本実施の形態では芯材４が２つであり、幅方向にのみ折り目が形成されているが、複数の芯材からなり、幅方向だけでなくその他の方向にも折り目が形成されていてもよい。芯材４を複数で構成し折り目を設けることにより、加重に対して加重面に沿うように真空断熱材１が折り目で曲がる。よって、折り目で曲がることによる割れやピンホールでの減圧状態の低下を抑えることができ、断熱性能低下を低減することができる。
【産業上の利用可能性】
【００６７】
以上のように、本発明にかかる真空断熱材は、優れた断熱性能を有し、屈曲用途で用いても真空断熱材が破袋しにくく、断熱性能の低下をすることなく使用できるので、本発明の実施の形態に示した履物に限らず、衣服、手袋、帽子、マット、カーテン、ブラインド、折り畳み式の保温容器等にも適用することができる。
【図面の簡単な説明】
【００６８】
【図１】本発明の実施の形態１における真空断熱材の斜視図
【図２】同実施の形態における真空断熱材の平面図
【図３】同実施の形態における真空断熱材の縦断面図
【図４】本発明の実施の形態２における真空断熱材の平面図
【図５】本発明の実施の形態３における真空断熱材の平面図
【図６】本発明の実施の形態４における真空断熱材の平面図
【図７】本発明の実施の形態５における真空断熱材の平面図
【図８】本発明の実施の形態６における真空断熱材の平面図
【図９】本発明の実施の形態７における真空断熱材の平面図
【図１０】本発明の実施の形態８における履物の側面図
【図１１】同実施の形態の履物における中敷き形状の真空断熱材の平面図
【図１２】従来の真空断熱材の縦断面図
【符号の説明】
【００６９】
１  真空断熱材
４  芯材
５  ラミネートフィルム
６  切り込み
７  切り欠け
８  貫通孔
９  履物
【図１】
2006342922.tif 000003
【図２】
2006342922.tif 000004
【図３】
2006342922.tif 000005
【図４】
2006342922.tif 000006
【図５】
2006342922.tif 000007
【図６】
2006342922.tif 000008
【図７】
2006342922.tif 000009
【図８】
2006342922.tif 000010
【図９】
2006342922.tif 000011
【図１０】
2006342922.tif 000012
【図１１】
2006342922.tif 000013
【図１２】
2006342922.tif 000014